(57)【要約】  【課題】就寝者の睡眠状態を良好に検知することができ、かつ、就寝者をより快適に睡眠させることができる枕およびこれを備えた睡眠状態変換装置を提供する。  【解決手段】枕部３の本体３Ａとマット部３Ｂとの連結部における本体３Ａの左右方向中央部に、本体３Ａの前面下端に沿って、就寝者の音声（いびきや歯軋りなど）を検知して電気信号に変換するためのマイク９を配置する。  【効果】就寝者の首の付け根および肩甲骨の周辺部と本体３Ａの前面との間に形成された空間１０内にマイク９を配置することができる。就寝者（の喉）に近接した位置で、就寝者のいびきや歯軋りを良好に検知することができる。マイクが就寝者の体に接触して就寝者が違和感を感じるのを防止できる。【選択図】        図３
2006068142.tif 000002
【特許請求の範囲】
【請求項１】
前方側に就寝する就寝者の頭部を受けるための枕本体と、
上記枕本体の前面下端に沿って配置され、就寝者の睡眠状態を検知するためのマイクとを含むことを特徴とする枕。
【請求項２】
上記マイクは、上記枕本体の左右方向中央部に配置されていることを特徴とする請求項１記載の枕。
【請求項３】
上記マイクは、上記枕本体の左右方向中央部に対して左右対称に複数配置されていることを特徴とする請求項１記載の枕。
【請求項４】
上記枕本体の前面下端に沿って配置された弾性体をさらに含み、
上記マイクは、上記弾性体によって区画形成される収容部内に配置されていることを特徴とする請求項１〜３のいずれかに記載の枕。
【請求項５】
上記弾性体の上面には、前方から後方に向かって徐々に高くなるように傾斜したテーパ面が形成されていることを特徴とする請求項４記載の枕。
【請求項６】
上記マイクは、マイク本体と、上記マイク本体が実装された基板と、上記マイク本体および上記基板の外側を覆うケーシングとを含むことを特徴とする請求項１〜５のいずれかに記載の枕。
【請求項７】
請求項１〜６のいずれかに記載の枕と、
上記マイクからの入力信号に基づいて、就寝者の睡眠状態を検知する睡眠状態検知手段と、
上記睡眠状態検知手段の検知結果に応じた態様で動作され、就寝者の睡眠状態を変換するための睡眠状態変換手段とを含むことを特徴とする睡眠状態変換装置。
【発明の詳細な説明】
【技術分野】
【０００１】
この発明は、就寝者の睡眠状態を変換するための睡眠状態変換装置に関し、特に、就寝者の頭部を受けるための枕に関する。
【背景技術】
【０００２】
就寝者のいびき（や歯軋り）を防止することができる装置として、枕に内蔵されたセンサでいびきを検知した場合に、就寝者の頭部を揺動させることにより、就寝者を一時覚醒させていびきを止めることができるような構成（たとえば、特許文献１参照）や、枕の外方（側方）に設置されたマイクでいびきを検知した場合に、バイブレータを作動させて就寝者の頭部に振動を与えることにより、就寝者を一時覚醒させていびきを止めることができるような構成（たとえば、特許文献２参照）が提案されている。
【特許文献１】実用新案登録第３０６３２１９号公報
【特許文献２】特開昭５６−９７４４６号公報
【発明の開示】
【発明が解決しようとする課題】
【０００３】
特許文献１に開示されているような構成では、センサが枕に内蔵されているので、いびきや歯軋りなどの就寝者の睡眠状態を良好に検知するためには、センサができるだけ枕内部の外方側に配置されていることが好ましい。しかしながら、センサを枕内部の外方側に配置すると、就寝者が頭部に違和感を感じ、快適に睡眠できないおそれがある。
また、特許文献２に開示されているような構成では、マイクが枕外部の側方に設置されているので、就寝者のいびきや歯軋り以外の音（ノイズ）がマイクで検知され、就寝者の睡眠状態を良好に検知することができない場合がある。
【０００４】
この発明は、かかる背景のもとでなされたもので、就寝者の睡眠状態を良好に検知することができ、かつ、就寝者をより快適に睡眠させることができる枕およびこれを備えた睡眠状態変換装置を提供することを目的とする。
【課題を解決するための手段】
【０００５】
上記目的を達成するための請求項１記載の発明は、前方側に就寝する就寝者の頭部（Ｈ）を受けるための枕本体（３Ａ）と、上記枕本体の前面下端に沿って配置され、就寝者の睡眠状態を検知するためのマイク（９）とを含むことを特徴とする枕（３，３１，３２，３３）である。
なお、括弧内の英数字は、後述の実施形態における対応構成要素を表す。以下、この項において同じ。
【０００６】
この構成によれば、枕本体により頭部を受けられた就寝者の首の付け根および肩甲骨の周辺部に、マイクを配置することができる。枕本体は一定の厚みを有しているため、枕本体により頭部を受けられた状態では、就寝者の首の付け根および肩甲骨の周辺部が、枕本体の前面に対して離間した状態となる。したがって、この発明の構成によれば、就寝者の首の付け根および肩甲骨の周辺部と本体の前面との間に形成された空間内にマイクを配置することができる。
【０００７】
就寝者の首の付け根および肩甲骨の周辺部にマイクを配置すれば、就寝者（の喉）に近接した位置で、就寝者の睡眠状態（いびきや歯軋りなど）を良好に検知することができる。また、枕本体の前面と、就寝者の首の付け根および肩甲骨の周辺部とで囲まれた空間内にマイクが設置されることとなるので、就寝者のいびきや歯軋り以外の音がマイクで検知されるのを防止でき、就寝者の睡眠状態をより良好に検知することができる。
【０００８】
さらに、枕本体の前面と、就寝者の首の付け根および肩甲骨の周辺部とで囲まれた空間内にマイクが設置されるので、マイクが就寝者の体に接触して就寝者が違和感を感じるのを防止でき、就寝者をより快適に睡眠させることができる。
請求項２記載の発明は、上記マイク（９）は、上記枕本体（３Ａ）の左右方向中央部に配置されていることを特徴とする請求項１記載の枕（３，３１，３２）である。
【０００９】
この構成によれば、就寝者の喉により近接した位置で、就寝者のいびきや歯軋りを良好に検知することができる。
また、左右の肩甲骨間の窪みに対向する位置にマイクが配置されることとなるので、マイクが就寝者の体に接触しにくい。したがって、マイクが就寝者の体に接触して就寝者が違和感を感じるのをより効果的に防止でき、就寝者をさらに快適に睡眠させることができる。
【００１０】
請求項３記載の発明は、上記マイク（９）は、上記枕本体（３Ａ）の左右方向中央部に対して左右対称に複数配置されていることを特徴とする請求項１記載の枕（３３）である。
この構成によれば、左右対称に複数配置されたマイクで就寝者のいびきや歯軋りを検知することができる。したがって、各マイクで検知されるいびきや歯軋りの音量に基づいて、就寝者（の頭部）の位置を検知することができる。就寝者（の頭部）の位置を検知することができれば、より適切な態様で就寝者の睡眠状態を変換する（いびきや歯軋りを停止させる）ことが可能である。
【００１１】
請求項４記載の発明は、上記枕本体（３Ａ）の前面下端に沿って配置された弾性体（１１，１３）をさらに含み、上記マイク（９）は、上記弾性体によって区画形成される収容部（１２，１４）内に配置されていることを特徴とする請求項１〜３のいずれかに記載の枕（３１，３２）である。
この構成によれば、マイクの周囲に弾性体が配置されているので、就寝者の首の付け根および肩甲骨の周辺部が弾性体により受けられることとなり、マイクが就寝者の体に接触しにくい。したがって、マイクが就寝者の体に接触して就寝者が違和感を感じるのをより効果的に防止でき、就寝者をさらに快適に睡眠させることができる。
【００１２】
上記弾性体は、ウレタン（より好ましくは、低反発性ウレタン）などの弾性を有する樹脂材料で形成されていてもよいし、内部に空気が充填された空気袋で形成されていてもよい。
請求項５記載の発明は、上記弾性体（１３）の上面には、前方から後方に向かって徐々に高くなるように傾斜したテーパ面（１３Ｂ）が形成されていることを特徴とする請求項４記載の枕（３２）である。
【００１３】
この構成によれば、弾性体に形成されたテーパ面により、就寝者の首の付け根および肩甲骨の周辺部を良好に受けることができるので、就寝者をさらに快適に睡眠させることができる。
請求項６記載の発明は、上記マイク（９）は、マイク本体（９１）と、上記マイク本体が実装された基板（９２）と、上記マイク本体および上記基板の外側を覆うケーシング（９３）とを含むことを特徴とする請求項１〜５のいずれかに記載の枕（３，３１，３２，３３）である。
【００１４】
この構成によれば、マイク本体をケーシングで保護することができるとともに、就寝者のいびきや歯軋り以外の音がマイク本体で検知されにくく、就寝者の睡眠状態をさらに良好に検知することができる。
請求項７記載の発明は、請求項１〜６のいずれかに記載の枕（３，３１，３２，３３）と、上記マイク（９）からの入力信号に基づいて、就寝者の睡眠状態を検知する睡眠状態検知手段（４）と、上記睡眠状態検知手段の検知結果に応じた態様で動作され、就寝者の睡眠状態を変換するための睡眠状態変換手段（６Ｌ，６Ｒ）とを含むことを特徴とする睡眠状態変換装置（１）である。
【００１５】
この構成によれば、請求項１〜６のいすれかに記載の発明と同様の効果を奏する睡眠状態変換装置を提供できる。すなわち、就寝者の睡眠状態を良好に検知することができ、かつ、就寝者をより快適に睡眠させることができる睡眠状態変換装置を提供できる。
【発明を実施するための最良の形態】
【００１６】
以下には、図面を参照して、この発明の実施形態について具体的に説明する。
図１は、この発明の一実施形態に係る睡眠状態変換装置１の設置態様を示す概略斜視図である。
この睡眠状態変換装置１は、就寝者の頭部を受けることができ、いびきや歯軋りなどを検知した場合に、就寝者の頭部を傾斜させて就寝者の体位を変換させることにより（たとえば、寝返りさせることにより）、いびきや歯軋りを停止させる（睡眠状態を変換する）ことができるものである。睡眠状態変換装置１には、マットレス、布団、ベッドなどの寝具２上に設置され、就寝者の頭部を受けるための枕部３と、寝具２の側方に設置され、枕部３の動作を制御するための制御装置４と、これらの枕部３および制御装置４を接続する配線や配管等からなる接続部５とが備えられている。図示しないが、制御装置４内には、当該睡眠状態変換装置１の動作を制御するための制御部と、この制御部の制御対象としてのポンプとが備えられている。
【００１７】
なお、この実施形態では、寝具２上に就寝者が仰臥した状態で、その就寝者から見て左側（図１における左奥側）を左方、就寝者から見て右側（図１における右手前側）を右方とし、就寝者の頭部側（図１における左手前側）を後方、就寝者の足側（図１における右奥側）を前方として説明する。
枕部３は、就寝者の頭部を受けるための枕形状の本体３Ａと、本体３Ａの前面下端から前方に張り出した薄手のマット部３Ｂと、本体３Ａおよびマット部３Ｂの外側を覆うカバー３´とを含む。本体３Ａは、平面視で略矩形状（より具体的には、左右方向に長手形状を有する長方形状）であり、上下方向に一定の厚み（たとえば、７０〜１００ｍｍ程度）を有している。本体３Ａの上面と前面との結合部は、就寝者の首に沿うように滑らかに凸湾曲している。
【００１８】
本体３Ａには、左右対称に配置され、内部の空気圧を変化させることにより就寝者の頭部を傾斜させるための１対の空気袋（左空気袋６Ｌおよび右空気袋６Ｒ）が備えられている。左空気袋６Ｌおよび右空気袋６Ｒは、平面視略正方形の袋状部材であって、それぞれ制御装置４内のポンプに連通する配管（図示せず）の端部が接続されている。制御部は、ポンプの駆動を制御して、配管を介して空気袋６Ｌ，６Ｒ内に給気または排気を行うことにより、空気袋６Ｌ，６Ｒの内部の空気圧を変化させることができる。
【００１９】
図２は、枕部３を前方側斜め上方から見た斜視図であって、カバー３´を省略して示している。
図２に示すように、枕部３の本体３Ａとマット部３Ｂとの連結部における本体３Ａの左右方向中央部には、本体３Ａの前面下端に沿って、就寝者の音声（いびきや歯軋りなど）を検知して電気信号に変換するためのマイク９（たとえば、コンデンサマイク）が配置されている。マイク９から出力される電気信号（音声信号）は、それぞれマイク９に内蔵された、音声信号を増幅させるためのアンプ回路、増幅された音声信号に対して検波を行う検波回路、および、検波後の音声信号から低周波数成分を抽出するローパスフィルタなど（図示せず）を介して制御装置４の制御部に入力される。
【００２０】
マイク９から入力される電気信号に基づいて、就寝者がいびきや歯軋りを発しているか否かを制御部で検知することができる。就寝者がいびきや歯軋りを発していると検知された場合には、制御部は、１対の空気袋６Ｌ，６Ｒの内部の空気圧を変化させて、本体３Ａの厚みを変化させることにより、本体３Ａに受けられた就寝者の頭部を傾斜させることができ、これにより、就寝者に体位の変換（横臥状態への寝返り）を促して、いびきや歯軋りを停止させることができる。
【００２１】
図３は、就寝者の頭部Ｈが枕部３の本体３Ａにより受けられた状態を示す概略断面図であって、枕部３を前後方向に沿った鉛直面で切断したときの断面を左方から見た図を示している。
図３に示すように、就寝者が枕部３の前方側に就寝し、本体３Ａにより頭部Ｈを受けられた状態では、就寝者の首が本体３Ａの上面前端部で受けられるとともに、就寝者の背中がマット部３Ｂで受けられる。本体３Ａとマット部３Ｂとの連結部における本体３Ａの左右方向中央部に、本体３Ａの前面下端に沿ってマイク９を配置することにより、本体３Ａにより頭部Ｈを受けられた就寝者の首の付け根および肩甲骨の周辺部に、マイク９を配置することができる。
【００２２】
枕部３の本体３Ａは一定の厚みを有しているため、本体３Ａにより頭部Ｈを受けられた状態では、図３に示すように、就寝者の首の付け根および肩甲骨の周辺部が、本体３Ａの前面に対して離間した状態となる。したがって、この実施形態のような構成によれば、就寝者の首の付け根および肩甲骨の周辺部と本体３Ａの前面との間に形成された空間１０内にマイク９を配置することができる。
【００２３】
就寝者の首の付け根および肩甲骨の周辺部にマイク９を配置すれば、就寝者（の喉）に近接した位置で、就寝者のいびきや歯軋りを良好に検知することができる。特に、枕部３の本体３Ａの左右方向中央部にマイク９が配置されているので、就寝者の喉により近接した位置で、就寝者のいびきや歯軋りを良好に検知することができる。
また、枕部３の本体３Ａの前面と、就寝者の首の付け根および肩甲骨の周辺部とで囲まれた空間１０内にマイク９が設置されることとなるので、就寝者のいびきや歯軋り以外の音がマイク９で検知されるのを防止でき、就寝者の睡眠状態をより良好に検知することができる。
【００２４】
さらに、枕部３の本体３Ａの前面と、就寝者の首の付け根および肩甲骨の周辺部とで囲まれた空間１０内にマイク９が設置されるので、マイク９が就寝者の体に接触して就寝者が違和感を感じるのを防止でき、就寝者をより快適に睡眠させることができる。
さらにまた、枕部３の本体３Ａの左右方向中央部にマイク９が配置されることにより、左右の肩甲骨間の窪みに対向する位置にマイク９が配置されることとなるので、マイク９が就寝者の体に接触しにくい。したがって、マイク９が就寝者の体に接触して就寝者が違和感を感じるのをより効果的に防止でき、就寝者をさらに快適に睡眠させることができる。
【００２５】
図４は、マイク９の分解斜視図である。
図４を参照して、マイク９は、マイク本体９１と、マイク本体９１の下方に配置され、マイク本体９１が実装された基板９２と、マイク本体９１および基板９２の外側を覆うケーシング９３とを含む。ケーシング９３は、それぞれ平面視略矩形の上ケーシング９３Ａおよび下ケーシング９３Ｂとからなり、これらの上ケーシング９３Ａと下ケーシング９３Ｂとが互いに嵌め合わせられることにより形成される内部空間に、マイク本体９１が実装された基板９２が配置される。
【００２６】
上ケーシング９３Ａと下ケーシング９３Ｂとが互いに嵌め合わせられた状態でのケーシング９３の厚みは、たとえば、１３ｍｍ程度である。したがって、マイク９（ケーシング９３）の厚みは、枕部３の本体３Ａの厚みの８分の１〜５分の１程度である。上ケーシング９３Ａには、マイク本体９１に対向する位置に１つないし複数の貫通孔９４が形成されており、これにより、マイク９の外部からマイク本体９１に音が到達しやすくなっている。
【００２７】
このような構成によれば、マイク本体９１をケーシング９３で保護することができるとともに、就寝者のいびきや歯軋り以外の音がマイク本体９１で検知されにくく、就寝者の睡眠状態をさらに良好に検知することができる。
図５は、この睡眠状態変換装置１により就寝者の睡眠状態を変換するための動作態様を示す概略図である。
【００２８】
図５を参照して、枕部３の本体３Ａは、上述した１対の空気袋６Ｌ，６Ｒと、１対の空気袋６Ｌ，６Ｒの下方に配置された下弾性体７と、１対の空気袋６Ｌ，６Ｒの上方に配置された上弾性体８と含み、１対の空気袋６Ｌ，６Ｒが下弾性体７および上弾性体８により挟持されている。
睡眠状態変換装置１の使用開始時には、まず、左空気袋６Ｌおよび右空気袋６Ｒに対する給気が行われ、図５（ａ）に示すように、左空気袋６Ｌ内および右空気袋６Ｒ内にそれぞれ所定量の空気が充填された状態とされる。これにより、就寝者の頭部Ｈを左空気袋６Ｌおよび右空気袋６Ｒによって適度な弾力で受けることができるので、就寝者を快適に睡眠させることができる。
【００２９】
睡眠状態変換装置１の使用中に、マイク９からの入力信号に基づいて、就寝者がいびきや歯軋りを発していると判断された場合には、制御装置４に備えられたポンプが駆動されることにより、左空気袋６Ｌまたは右空気袋６Ｒに対して給気が行われる。右空気袋６Ｒに対して給気を行った場合には、図５（ｂ）に示すように、就寝者の頭部Ｈを左側に傾斜させて、就寝者に左向きの横臥状態への寝返りを促すことができる。一方、左空気袋６Ｌに対して給気を行った場合には、図５（ｃ）に示すように、就寝者の頭部Ｈを右側に傾斜させて、就寝者に右向きの横臥状態への寝返りを促すことができる。
【００３０】
ただし、左空気袋６Ｌまたは右空気袋６Ｒに対して給気を行うことにより、就寝者の頭部Ｈを傾斜させるような構成に限らず、左空気袋６Ｌまたは右空気袋６Ｒの内部の空気を排気させることにより、就寝者の頭部Ｈを傾斜させるような構成であってもよい。この場合、左空気袋６Ｌおよび右空気袋６Ｒを予め大きめに膨張させておくと、一方の空気袋内の空気を排気したときの頭部Ｈの傾きを顕著にできる。このような構成であっても、上記実施形態の場合と同様に、就寝者に寝返りを促し、就寝者のいびきや歯軋りを効果的に停止させることができる。
【００３１】
図６は、第１変形例に係る枕部３１を前方側斜め上方から見た斜視図であって、カバー３´を省略して示している。また、図７は、就寝者の頭部Ｈが第１変形例に係る枕部３１の本体３Ａにより受けられた状態を示す概略断面図であって、枕部３１を前後方向に沿った鉛直面で切断したときの断面を左方から見た図を示している。
図６および図７を参照して、この変形例では、マイク９の構成および配置位置などは、上記実施形態と同様であるが、マイク９の周囲に弾性体１１が配置されている点に特徴がある。この枕部３１は、弾性体１１以外の構成は、上記実施形態に係る枕部３と同様の構成を有しているので、同様の構成については、図に同一符号を付してその説明を省略する。
【００３２】
マイク９は、枕部３１の本体３Ａとマット部３Ｂとの連結部における本体３Ａの左右方向中央部に、本体３Ａの前面下端に沿って配置されており、このマイク９の左右両側にそれぞれ弾性体１１（左弾性体１１Ｌおよび右弾性体１１Ｒ）が配置されている。左弾性体１１Ｌおよび右弾性体１１Ｒは、たとえば、ウレタン（より好ましくは、低反発性ウレタン）などの弾性を有する樹脂材料で形成されていてもよいし、内部に空気が充填された空気袋で形成されていてもよい。左弾性体１１Ｌおよび右弾性体１１Ｒは、それぞれ、平面視で略矩形状（より具体的には、左右方向に長手形状を有する長方形状）であり、上下方向に一定の厚み（たとえば、１５〜２５ｍｍ程度）を有している。
【００３３】
左弾性体１１Ｌおよび右弾性体１１Ｒは、左右方向に互いに一定の間隔を空けて配置されており、左弾性体１１Ｌの右端面と、右弾性体１１Ｒの左端面と、枕部３１の本体３Ａの前面とにより、マイク９を収容するための収容部１２が区画形成されている。このような構成によれば、上記実施形態と同様の効果に加えて、マイク９の周囲に弾性体１１が配置されているので、就寝者の首の付け根および肩甲骨の周辺部が弾性体１１により受けられることとなり、マイク９が就寝者の体に接触しにくい。したがって、マイク９が就寝者の体に接触して就寝者が違和感を感じるのをより効果的に防止でき、就寝者をさらに快適に睡眠させることができる。
【００３４】
収容部１２の上下方向の深さが、マイク９（のケーシング９３）の厚みと同程度またはそれ以上であれば、マイク９が就寝者の体により接触しにくく、マイク９が就寝者の体に接触して就寝者が違和感を感じるのをさらに効果的に防止できる。
ただし、左弾性体１１Ｌおよび右弾性体１１Ｒの各上面には、前方から後方に向かって徐々に高くなるように傾斜したテーパ面が形成されていてもよい。このような構成によれば、後述する第２変形例と同様の効果、すなわち、弾性体１１に形成されたテーパ面により、就寝者の首の付け根および肩甲骨の周辺部を良好に受けることができるので、就寝者をさらに快適に睡眠させることができるという効果を奏することができる。
【００３５】
図８は、第２変形例に係る枕部３２を前方側斜め上方から見た斜視図であって、カバー３´を省略して示している。また、図９は、就寝者の頭部Ｈが第２変形例に係る枕部３２の本体３Ａにより受けられた状態を示す概略断面図であって、枕部３２を前後方向に沿った鉛直面で切断したときの断面を左方から見た図を示している。
図８および図９を参照して、この変形例では、マイク９の構成および配置位置などは、上記実施形態と同様であるが、マイク９の周囲に弾性体１３が配置されている点に特徴がある。この枕部３２は、弾性体１３以外の構成は、上記実施形態に係る枕部３と同様の構成を有しているので、同様の構成については、図に同一符号を付してその説明を省略する。
【００３６】
マイク９は、枕部３２の本体３Ａとマット部３Ｂとの連結部における本体３Ａの左右方向中央部に、本体３Ａの前面下端に沿って配置されており、このマイク９の左方、右方および前方を取り囲むように弾性体１３が配置されている。弾性体１３は、たとえば、ウレタン（より好ましくは、低反発性ウレタン）などの弾性を有する樹脂材料で形成されていてもよいし、内部に空気が充填された空気袋で形成されていてもよい。弾性体１３は、平面視で略矩形状（より具体的には、本体３Ａの左端から右端まで延び、左右方向に長手形状を有する長方形状）である。
【００３７】
弾性体１３の後面の左右方向中央部には、前方側に向かって平面視略矩形の凹部１３Ａが形成されており、この凹部１３Ａと、枕部３２の本体３Ａの前面とにより、マイク９を収容するための収容部１４が区画形成されている。このような構成によれば、上記実施形態と同様の効果に加えて、マイク９の周囲に弾性体１３が配置されているので、就寝者の首の付け根および肩甲骨の周辺部が弾性体１３により受けられることとなり、マイク９が就寝者の体に接触しにくい。したがって、マイク９が就寝者の体に接触して就寝者が違和感を感じるのをより効果的に防止でき、就寝者をさらに快適に睡眠させることができる。
【００３８】
この変形例では、弾性体１３の上面が、前方から後方に向かって徐々に高くなるように傾斜したテーパ面１３Ｂとなっており、弾性体１３は、側面視で三角形状を有している。このような構成によれば、弾性体１３に形成されたテーパ面１３Ｂにより、就寝者の首の付け根および肩甲骨の周辺部を良好に受けることができるので、就寝者をさらに快適に睡眠させることができる。
【００３９】
収容部１４の上下方向の深さが、マイク９（のケーシング９３）の厚みと同程度またはそれ以上であれば、マイク９が就寝者の体により接触しにくく、マイク９が就寝者の体に接触して就寝者が違和感を感じるのをさらに効果的に防止できる。
ただし、弾性体１３の上面全体がテーパ面１３Ｂとなっているような構成に限らず、弾性体１３の上面の一部にテーパ面が形成されていてもよい。また、上述した第１変形例と同様に、弾性体１３の上面全体が水平な平坦面となっていてもよい。
【００４０】
図１０は、第３変形例に係る枕部３３を前方側斜め上方から見た斜視図であって、カバー３´を省略して示している。
図１０を参照して、この変形例では、上記実施形態のように本体３Ａの左右方向中央部に１つのマイク９が配置されているのではなく、本体３Ａの左右方向中央部に対して左右対称に複数（たとえば、２つ）のマイク９が配置されている点に特徴がある。各マイク９の構成は、図４を用いて説明した上記実施形態の構成と同様である。この枕部３３は、マイク９の配置位置以外の構成は、上記実施形態に係る枕部３と同様の構成を有しているので、同様の構成については、図に同一符号を付してその説明を省略する。
【００４１】
２つのマイク９は、枕部３３の本体３Ａとマット部３Ｂとの連結部における本体３Ａの左右方向中央部に対して互いに左右対称に、それぞれ本体３Ａの前面下端に沿って配置されている。このような構成によれば、左右対称に配置された２つのマイク９で就寝者のいびきや歯軋りを検知することができる。したがって、各マイク９で検知されるいびきや歯軋りの音量（の差）に基づいて、就寝者の頭部Ｈの位置を検知することができる。就寝者の頭部Ｈの位置（左側または右側）を検知することができれば、就寝者の頭部Ｈ側の空気袋（左空気袋６Ｌまたは右空気袋６Ｒ）に対する給気または排気を行うことにより、就寝者により効果的に寝返りを促し、就寝者のいびきや歯軋りをさらに効果的に停止させることができる。したがって、より適切な態様で就寝者の睡眠状態を変換する（いびきや歯軋りを停止させる）ことが可能である。
【００４２】
各マイク９の周囲には、たとえば、ウレタン（より好ましくは、低反発性ウレタン）などの弾性を有する樹脂材料や、内部に空気が充填された空気袋などで形成された弾性体が配置されていてもよい。この場合、２つのマイク９間と、左側のマイク９の左方と、右側のマイク９の右方とに、それぞれ弾性体（計３つ）が本体３Ａの前面下端に沿って配置されていてもよい。このような構成によれば、第１変形例と同様の効果を奏することができる。また、２つのマイク９の各左方、各右方および各前方を取り囲むように、１つの弾性体が本体３Ａの前面下端に沿って配置されているような構成であってもよい。このような構成によれば、第２変形例と同様の効果を奏することができる。
【００４３】
この発明は、以上の実施形態の内容に限定されるものではなく、請求項記載の範囲内において種々の変更が可能である。
たとえば、就寝者の睡眠状態を変換するための手段は、左右１対（計２つ）の空気袋６Ｌ，６Ｒを含むような構成に限らず、３つ以上の空気袋を含むような構成であってもよい。
【００４４】
就寝者の睡眠状態を変換するための手段は、空気袋６Ｌ，６Ｒを含むような構成に限らず、たとえば、内部に液体を供給または排出することにより形状を変化させることができる液体バッグや、熱により形状が変化する形状記憶合金などを含むような構成であってもよい。また、就寝者の睡眠状態を変換するための手段は、形状が変化するものに限らず、揺動したり振動したりして就寝者に刺激を与えるものや、音声により就寝者に刺激を与えるものであってもよい。このような構成であっても、就寝者に刺激を与えて、就寝者を一時覚醒させることにより、就寝者の睡眠状態を良好に変換することができる。
【図面の簡単な説明】
【００４５】
【図１】この発明の一実施形態に係る睡眠状態変換装置の設置態様を示す概略斜視図である。
【図２】枕部を前方側斜め上方から見た斜視図であって、カバーを省略して示している。
【図３】就寝者の頭部が枕部の本体により受けられた状態を示す概略断面図であって、枕部を前後方向に沿った鉛直面で切断したときの断面を左方から見た図を示している。
【図４】マイクの分解斜視図である。
【図５】この睡眠状態変換装置により就寝者の睡眠状態を変換するための動作態様を示す概略図である。
【図６】第１変形例に係る枕部を前方側斜め上方から見た斜視図であって、カバーを省略して示している。
【図７】就寝者の頭部が第１変形例に係る枕部の本体により受けられた状態を示す概略断面図であって、枕部を前後方向に沿った鉛直面で切断したときの断面を左方から見た図を示している。
【図８】第２変形例に係る枕部を前方側斜め上方から見た斜視図であって、カバーを省略して示している。
【図９】就寝者の頭部が第２変形例に係る枕部の本体により受けられた状態を示す概略断面図であって、枕部を前後方向に沿った鉛直面で切断したときの断面を左方から見た図を示している。
【図１０】第３変形例に係る枕部を前方側斜め上方から見た斜視図であって、カバーを省略して示している。
【符号の説明】
【００４６】
１  睡眠状態変換装置
３，３１，３２，３３  枕部
３Ａ  本体
４  制御装置
６Ｌ  左空気袋
６Ｒ  右空気袋
９  マイク
９１  マイク本体
９２  基板
９３  ケーシング
１１  弾性体
１２  収容部
１３  弾性体
１３Ｂ  テーパ面
１４  収容部
Ｈ  （就寝者の）頭部
【図１】
2006068142.tif 000003
【図２】
2006068142.tif 000004
【図３】
2006068142.tif 000005
【図４】
2006068142.tif 000006
【図５】
2006068142.tif 000007
【図６】
2006068142.tif 000008
【図７】
2006068142.tif 000009
【図８】
2006068142.tif 000010
【図９】
2006068142.tif 000011
【図１０】
2006068142.tif 000012